(57)【要約】【課題】バルコニーの奥行を大きくしてバルコニーの面積を大きくする場合において、バルコニーの支持構造を工夫することによって建築面積に算入される部分を極力小さくする。【解決手段】集合住宅の住居３０の開口側の柱２、２の間には梁３が設けてあり、バルコニー１は、Ｌ字形に住戸３０の外方に延びている。バルコニー１の基部１１の奥行Ｌ１は１ｍ以内としてあり、幅２ｍ以内の持ち出しスラブ１２が基部１１に直角に突出させてあり、バルコニー１全体はＬ字形であり、持ち出しスラブ１２を設けたことによって全体として奥行の大きなバルコニー１が得られる。持ち出しスラブ１２の先端部の幅方向の中心部には独立柱４が設けてあって持ち出しスラブ１２を支持している。【選択図】図１
2016141977.tif 000002
【特許請求の範囲】
【請求項１】
住戸のバルコニーであって、バルコニーの基部が開口部の柱の間の梁に載置してあると共にバルコニーの基部の奥行を１ｍ以内とし、バルコニーの基部から直角に延びる幅が２ｍ以内の持ち出しスラブが独立柱で支持してあり、この独立柱は持ち出しスラブの幅中心を支持するものであるバルコニー。
【請求項２】
請求項１において、バルコニーの基部の両側部と柱の間には遊間が形成してあるバルコニー。
【発明の詳細な説明】
【技術分野】
【０００１】
本発明は、戸建住宅及び集合住宅等において、奥行を大きくしたバルコニーに関する。
【背景技術】
【０００２】
バルコニーは外気に面しており、日光を受けることから健康によい住環境を提供するものであるので、なるべく大きな面積とすることが望まれるが、バルコニーの奥行を単純に大きくすると建築面積に算入されるという問題がある。
【先行技術文献】
【特許文献】
【０００３】
【特許文献１】特許第４７５４５０６号公報
【発明の開示】
【発明が解決しようとする課題】
【０００４】
バルコニーの面積を大きくするために奥行きを大きくする場合、図５に示すように、柱２、２の間のバルコニー１の基部１１から持ち出しスラブ１２を突出させ、この持ち出しスラブ１２の先端両側に柱２１、２１を設置すると共に持ち出しスラブ１２の両側に梁３１を設けて支持したり、図６に示すように、柱２、２から梁３２、３２を突出させ、梁３２の端部に柱２１、２１を設けると共に柱２１、２１の間に梁３３を設けて柱と梁からなるフレーム３５を形成し、このフレーム３５によって持ち出しスラブ１２を支持することがなされているが、柱２１や梁３１からなるフレームを設けると、斜線で示す部分が建築面積に算入され、住居に割り振る面積に対して影響を与えることになる。
そこで、本発明は、バルコニーの奥行を大きくしてバルコニーの面積を大きくする場合において、バルコニーの持ち出しスラブの支持構造を工夫することによって建築面積に算入される部分を小さくすることを目的とするものである。
【課題を解決するための手段】
【０００５】
集合住宅のバルコニーの面積を大きくするため、柱の間の基部から突出させるバルコニーの持ち出しスラブの幅を２ｍ以内とすると共に持ち出しスラブを独立柱によって支持し、この独立柱がバルコニーの幅中心を支持するようにしたものである。
また、柱の間の梁に支持させてあるバルコニーの基部と柱の間に僅かな遊間を設けたものである。  
【発明の効果】
【０００６】
バルコニーの持ち出しスラブの幅を２ｍ以内とするとともに、独立柱によってこの持ち出しスラブを支持し、この独立柱が持ち出しスラブの幅中心を支持するようにしたものであり、建築面積に算入される面積を小さくすることができ、土地を有効に利用することができるようになる。
また、奥行が比較的大きなことから、バルコニーの開放性が高くなり、明るく風通しのよい空間を提供することができる。
【０００７】
更に、バルコニーを支持する梁がなく、独立柱で支持されているので正面の視界が梁によって邪魔されず、視界が広がるという効果が得られる。
更に、戸境側に目隠しの壁を設置することにより隣戸とのプライバシーを確保することが容易であり、各戸の独立性を確保することができ、バルコニーの奥行の浅い部分に水平の目隠しルーバーを設置することによって正面の視界を遮ることなく、上下階の視界を遮ることが可能である。
【図面の簡単な説明】
【０００８】
【図１】持ち出しスラブを端部に設けＬ字形としたバルコニーの平面図。
【図２】Ｌ字形バルコニーの基部と柱の間に遊間を設けたバルコニーの平面図。
【図３】持ち出しスラブを中央に設けてＴ字形としたバルコニーの平面図。
【図４】Ｔ字形バルコニーの基部と柱の間に遊間を設けたバルコニーの平面図。
【図５】持ち出しスラブを柱と梁で支持したＬ字形バルコニーの平面図。
【図６】持ち出しスラブをフレームで支持したＬ字形バルコニーの平面図。
【発明を実施するための形態】
【０００９】
実施例１
図１は、本発明の一実施例であるＬ字形バルコニーの平面図であり、集合住宅の住居部３０の開口側の柱２、２の間には梁３が設けてあり、バルコニー１は、柱２の内側に納まる奥行きの浅い基部１１と、この基部１１の端部から突出させた持ち出しスラブ１２とでＬ字形に形成してあり、基部１１は梁３に支持されている。
梁３に支持されているバルコニー１の基部１１の奥行Ｌ１は、１ｍ以内としてあり、基部１１の外縁は、柱２と柱２の外縁を結ぶ線より内側に納めてある。
【００１０】
図面において、バルコニー１の左端側には幅２ｍ以内の持ち出しスラブ１２が基部１１に直角に設けてあり、バルコニー１全体はＬ字形であり、持ち出しスラブ１２を設けたことによって全体として奥行の大きなバルコニー１が得られる。持ち出しスラブ１２の先端部の幅方向の中心部には独立柱４が設けてあり、持ち出しスラブ１２を支持している。持ち出しスラブ１２の外縁から独立柱４の中心までの距離Ｌ２は、Ｌ１と同様に１ｍ以内とすることによって、建築面積に算入される部分は柱２の外縁を結ぶ線の内側の斜線で示す部分となり、独立柱４で支持された持ち出しスラブ１２の部分は建築面積に算入されないので土地の有効利用が図れる。  
【００１１】
図２に示す例は、図１に示した例と同様の構造であるが、基部１１の両側部と柱２、２との間に遊間Ｓが形成してあり、柱２と持ち出しスラブ１２とが構造的に直接的関連がないものとしてあるので、図１では建築面積に算入される梁３に載せて支持させてある基部１１の部分が建築面積に算入されなくなるなるので、更に土地の有効利用が可能となる。遊間Ｓは、バルコニー１と柱２とが構造的に関連していなければよく、１ｍｍ程度であっても良く、１００ｍｍ程度とするのがより好ましい。
【００１２】
実施例２
図３は、本発明のバルコニー１の他の実施例であり、持ち出しスラブ１２が、実施例１とは異なり、バルコニー基部１１の中央部付近から突出しており、全体形状はＴ字形のバルコニー１としてある。
基部１１及び持ち出しスラブ１２の構造及び大きさは、基本的に実施例１と同じであり、独立柱４の位置を持ち出しスラブ１２の幅方向の中央とすることは実施例１と変わりがなく、Ｌ１とＬ２は、実施例１と同じ条件である。
図４に示す例は、図２に示した例と同様に基部１１の両側部と柱２、２との間に１００ｍｍ程度の遊間Ｓを形成したものである。
【符号の説明】
【００１３】
１    バルコニー
１１  バルコニー基部
１２  バルコニー持ち出しスラブ  
２    柱
３    梁
４    独立柱
３０  住居
Ｓ    柱とバルコニー基部との間の遊間
【図１】
2016141977.tif 000003
【図２】
2016141977.tif 000004
【図３】
2016141977.tif 000005
【図４】
2016141977.tif 000006
【図５】
2016141977.tif 000007
【図６】
2016141977.tif 000008
【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
住戸のバルコニーであって、奥行が１ｍ以内のバルコニーの基部が開口部の柱の間の梁に載置してあり、幅が２ｍ以内の持ち出しスラブがバルコニーの基部より直角に張り出しており、その幅中心を独立柱で支持し、独立柱の中心から持ち出しスラブの外縁までの距離を１ｍ以内として建築面積に算入されないようにしたバルコニー。
【請求項２】
請求項１において、バルコニーの基部の両側部と柱の間には遊間が形成してあり、柱とバルコニー基部が構造的に直接関連しないものとしたバルコニー。
【手続補正２】
【補正対象書類名】明細書
【補正対象項目名】０００５
【補正方法】変更
【補正の内容】
【０００５】
住戸のバルコニーの面積を大きくすると共に建築面積に算入される部分を小さくするため、奥行き１ｍ以内としたバルコニーの基部が開口部の柱の間の梁に載置してあり、幅が２ｍ以内の持ち出しスラブがバルコニーの基部より直角に張り出してあり、その幅中心が独立柱で支持してあるバルコニーである。
更に、柱の間の梁に支持させてあるバルコニーの基部と柱の間に遊間を設けることによって柱とバルコニー基部が構造的に直接関連しないものとしたバルコニーである。
【手続補正３】
【補正対象書類名】明細書
【補正対象項目名】００１１
【補正方法】変更
【補正の内容】
【００１１】
図２に示す例は、図１に示した例と基本的は同様の構造であるが、基部１１の両側部と柱２、２との間に遊間Ｓが形成してあり、柱２と持ち出しスラブ１２とが構造的に直接的関連がないものとしてあり、図１では建築面積に算入される梁３に載せて支持させてある基部１１の部分が建築面積に算入されなくなるので、更に土地の有効利用が可能となる。遊間Ｓは、バルコニー１と柱２とが構造的に直接関連していなければよいので、１ｍｍ程度であっても良いが、１００ｍｍ程度とするのが好ましい。